(57)【要約】【課題】            芯の傾きを防ぐことにより、スムーズな芯上下操作を可能にすると共に、安定した燃焼と消火を実現した芯上下装置の構造に関する。【解決手段】        芯上下操作を行う芯上下軸１と、油タンク２の底板から立設した芯内筒３と、油タンク２の上面板に取付けた芯外筒４とを設け、芯内筒３と芯外筒４とで構成する芯収容筒５の間隙に芯６を上下動自在に取付ける。芯上下軸１の内方端に取付けた駆動板７の可動端に駆動ピン７ａを形成し、芯６の外周に取付けた芯ホルダ８の側面に連結部９を取付け、連結部９に形成した長孔９ａと駆動板７の駆動ピン７ａを嵌合し、芯上下軸１の回動時に駆動ピン７ａによって芯ホルダ８が駆動して芯６を上下動する。駆動板７と連結部９の間には駆動規制部１０を配置し、該駆動規制部１０が連結部９の側面に当接して芯ホルダ８を芯６側に押し付けることで芯６の傾きを防ぐものである。【選択図】          図１
2006258403.tif 000002
【特許請求の範囲】
【請求項１】
芯上下操作を行う芯上下軸１と、油タンク２の底板から立設した芯内筒３と、油タンク２の上面板に取付けた芯外筒４と、
芯内筒３と芯外筒４とで構成する芯収容筒５の間隙に上下動自在に取付けた芯６とを設けると共に、
前記芯上下軸１の内方端に取付けて芯上下軸１を中心に可動する駆動板７と、該駆動板７の可動端から芯６方向へ向けて形成した駆動ピン７ａとを設け、
かつ、芯６の外方に取付けた芯ホルダ８の側面には連結部９と、
該連結部９に形成した芯６の円周方向に沿った長孔９ａとを設け、
前記駆動板７の駆動ピン７ａを連結部９の長孔９ａに嵌合し、
芯上下軸１の回動時に駆動ピン７ａによって芯ホルダ８が駆動して芯６を上下動する石油燃焼器において、
前記駆動板７と連結部９との間には駆動規制部１０を配置し、
該駆動規制部１０は連結部９の側面に当接して芯ホルダ８を芯６方向に押し付けることを特徴とする石油燃焼器の芯上下装置。
【請求項２】
前記駆動規制部１０は芯上下軸１と駆動ピン７ａとの間の駆動板７に配置し、芯上下軸１を最大芯上げ位置に回動した時に連結部９の下部に当接し、
芯上下軸１を芯下げ位置に回動した時に連結部９の上部に当接することを特徴とする請求項１記載の石油燃焼器の芯上下装置。
【請求項３】
前記駆動制御部１０には突部１０ａを形成し、芯上下軸１の回動時に駆動制御部１０の突部１０ａと連結部９の長孔９ａの内縁とが接触して抵抗を与えることを特徴とする請求項１記載の石油燃焼器の芯上下装置。
【発明の詳細な説明】
【技術分野】
【０００１】
この発明は、芯上下式石油燃焼器の芯上下装置の構造に関するものである。
【背景技術】
【０００２】
芯上下式石油燃焼器は、油タンクの上面に取付けられた芯外筒と、油タンクの底面から立設した芯内筒とで芯収容筒を構成し、該芯収容筒の間隙に上下動自在に保持した芯と、芯上下操作を行う芯上下軸とを備えており、芯上下軸を芯上げ方向に回動して芯を上動して芯の先端を芯収容筒の上部に突出させ、点火ヒータなどの点火装置によって芯に着火すると、芯の下端で吸上げられた燃料が芯の上端で燃焼を開始する。また、燃焼中に芯上下軸を回動して芯高さを変更することで燃焼量の調整を行うことができ、更に芯を消火位置まで下げると消火するものである。
【０００３】
このような石油燃焼器に備える芯上下装置は、芯ホルダに取付けたラックギアと芯上下軸の内方端に設けたピニオンギアとの噛合いによって芯を上下動する構成のものが一般的であったが、この芯上下装置は、芯上下軸の回転量が大きく芯上下操作が面倒であることや、ラックギアとピニオンギアの加工に時間がかかるために生産性やコストの面で課題があった。
【０００４】
このため、出願人は従来のラックギアとピニオンギアによる構成に変わるものとして、芯上下軸の内方端に駆動板を取付け、この駆動板の可動端から芯方向に向けて駆動ピンを形成し、芯の外周に取付けた芯ホルダの側面に駆動ピンと嵌合する連結部を設け、芯上下軸の回動時に可動する駆動板の駆動ピンによって芯ホルダが駆動して芯を上下動する芯上下装置を提案した（特許文献１参照）。
【特許文献１】特願２００３−３３７４７０
【発明の開示】
【発明が解決しようとする課題】
【０００５】
上記の特許文献１の提案によれば従来のラックギアとピニオンギアの芯上下装置に比べて芯上下軸の回転量を少なくできたから、操作性が向上できると共に、ギアが不要となりシンプルな構造となったから、加工工程の短縮やコストの削減に寄与できたものである。
【０００６】
しかしながら、特許文献１の構成は芯を上下動させる駆動ピンが芯の全体を芯の片側のみで支える構造になっているため、従来の構造に比べて芯の傾きが生じやすいことが分かった。芯が傾くと、芯が芯収容筒の内壁に接触した状態で芯上下動することになり、芯が新しく軟らかいうちは芯が変形するので問題なくスムーズに芯上下操作することができるが、使用経過によって芯が硬くなったり、芯の厚みが増すと、芯と芯収容筒の内壁との接触抵抗が大きくなって芯上下動時の障害となるため、短期間で芯上下操作が行いにくくなる欠点があった。
【０００７】
また、芯上げ位置で芯の傾きが生じて芯の前後で芯高さが変わると、芯の低くなった側では芯の先端の炎と芯収容筒との距離が近くなるため芯収容筒の温度が高くなり、芯収容筒が高温になると芯からの灯油の気化が促進されて燃焼のバランスが崩れて臭気が強くなったり、消火時に火が消えにくくなって消火時間が長くなってしまう恐れがある。
【０００８】
また、芯上下軸から離れた駆動ピンによって芯を駆動することで、ラックギアとピニオンギアとの噛合いによって駆動する構造に比べて軽い操作で芯上下操作を行うことができるが、逆に駆動ピンに力が加わった時には弱い力で芯上下軸が回動しやすくなるため、芯上げ位置にセットした時に燃料を吸上げた芯の重さによって芯上下軸が芯下げ方向に回動して芯高さが低くなってしまうことがあり、期待した燃焼性能を得られなくなる恐れがある。
【０００９】
また、芯上げ位置付近では、芯上下軸の回動に対して芯の移動量が少ないから、最大芯高さから芯下げ方向に回動操作する燃焼量の調節が行いやすくはなっているが、燃焼量の調節は機器に表示された燃焼量の調節範囲や燃焼状態を確認しながら行っているものであり、目視による確認だけでは芯を下げすぎてしまうことがあるため、最適使用範囲での芯高さを別の方法でも使用者に知らせることが望ましい。
【課題を解決するための手段】
【００１０】
この発明は上記の課題を解決するもので、芯上下操作を行う芯上下軸１と、油タンク２の底板から立設した芯内筒３と、油タンク２の上面板に取付けた芯外筒４と、芯内筒３と芯外筒４とで構成する芯収容筒５の間隙に上下動自在に取付けた芯６とを設けると共に、
前記芯上下軸１の内方端に取付けて芯上下軸１を中心に可動する駆動板７と、該駆動板７の可動端から芯６方向へ向けて形成した駆動ピン７ａとを設け、かつ、芯６の外方に取付けた芯ホルダ８の側面には連結部９と、該連結部９に形成した芯６の円周方向に沿った長孔９ａとを設け、前記駆動板７の駆動ピン７ａを連結部９の長孔９ａに嵌合し、芯上下軸１の回動時に駆動ピン７ａによって芯ホルダ８が駆動して芯６を上下動する石油燃焼器において、前記駆動板７と連結部９との間には駆動規制部１０を配置し、該駆動規制部１０は連結部９の側面に当接して芯ホルダ８を芯６方向に押し付けることを特徴とするものである。
【００１１】
また、駆動規制部１０は芯上下軸１と駆動ピン７ａとの間の駆動板７に配置し、芯上下軸１を最大芯上げ位置に回動した時に連結部９の下部に当接し、芯上下軸１を芯下げ位置に回動した時に連結部９の上部に当接することで、芯６が傾くことはなくなり、芯上下操作をスムーズに行うことができるものである。
【００１２】
また、駆動制御部１０には突部１０ａを形成し、芯上下軸１の回動時に駆動制御部１０の突部１０ａと連結部９の長孔９ａの内縁とが接触して抵抗を与えるもので、芯上下操作時に使用者に抵抗が伝わることで、最適使用範囲を知らせることができる。
【発明の効果】
【００１３】
この発明は、芯上下軸１の内方端に取付けた駆動板７と芯ホルダ８の側面に取付けた連結部９との間に駆動規制部１０を設け、この駆動規制部１０が芯ホルダ８の側面に取付けた連結部９の側面に当接して芯ホルダ８を芯６側へ押し付けることで、芯６の傾きを抑えることができるので、芯６と芯収容筒５との隙間を均一に保つことができ、使用経過によって芯６が硬くなったり、芯６の厚みが増した時でも、芯６がすぐに芯収容筒５に接触することはないから、短期間で芯上下操作ができなくなるようなことはなくなった。
【００１４】
また、芯６の傾きがなくなることで、芯上げ位置での芯高さが均一になるので、燃焼中に芯収容筒５が異常高温になることはなくなり、燃焼のバランスを崩したり、消火時間が長くなることはなくなり、安定した燃焼と消火が実現できるようになった。
【００１５】
また、芯６を芯上げ位置にセットした時は、駆動規制部１０が芯ホルダ８を芯６側へ押し付ける力が芯下げ方向に移動しようとする芯６の抵抗となり、芯６の自重で芯上下軸１が芯下げ方向に回動してしまうことはなくなり、芯上げ位置で適正な芯高さが維持できるので、良好な燃焼性能を得ることができるものとなった。
【００１６】
また、駆動規制部１０には突部１０ａを形成し、芯上下軸１の回動時に突部１０ａと長孔９ａの内縁が接触することで抵抗を使用者に与えるものであり、使用者がこの抵抗を感じることによって燃焼量の調節範囲を知ることができ、芯６の下げすぎを防ぐことができる。
【発明を実施するための最良の形態】
【００１７】
図に示す実施例によってこの発明を説明すると、２は石油燃焼器の油タンク、３は油タンク２の底板から立設した芯内筒、４は油タンク２の上面に取付けた芯外筒、５は芯内筒３と芯外筒４とで構成する芯収容筒、６は芯内筒３と芯外筒４との間隙に上下動自在に取付けた芯であり、油タンク２の燃料は芯６の下端で吸上げられ、芯６の上端に供給される。
【００１８】
１は芯上下操作を行う芯上下軸、１ａは芯上下軸１の外方端に取付けた芯上下軸１の操作つまみ、１１は芯内筒３と芯外筒４の上方に配置した燃焼部であり、操作つまみ１ａによって芯上下軸１を芯上げ方向に回動して芯６を上動し、図示しない点火ヒータなどの点火装置によって芯６に点火すると、芯６の下端で吸上げられた油タンク２の燃料が芯６の上端で燃焼を開始し、発生する燃焼炎と燃焼ガスは上昇して燃焼部１１で燃焼を完了する。
【００１９】
１２は芯上下軸１に遊嵌して芯上下軸１を中心に回動する歯車で構成する回動板、１ｂは芯上下軸１に設けた係止片、１２ａは回動板１２に設けた係止部であり、芯上下軸１を芯上げ方向に回動すると係止片１ｂが回動板１２の係止部１２ａを押すので、芯上下軸１と回動板１２とが一緒に回動する。１３は回動板１２と油タンク２との間に取付けた戻しバネ、１４は芯上げ方向に回動する回動板１２と係合するストッパー、１２ｂは回動板１２に設けたストッパー１４との係合歯であり、回動板１２は芯上げ動作時に戻しバネ１３を巻き上げ、回動板１２の係合歯１２ｂがストッパー１４と係合すると回動板１２には戻しバネ１３による芯下げ方向への回転力が保持される。
【００２０】
１５は前記ストッパー１４と連結した感振器であり、感振器１５が振動を検出するとストッパー１４を可動して回動板１２の係合歯１２ｂから係合を外し、ストッパー１４が外れた回動板１２は戻しバネ１３によって芯下げ方向に回動し、係止部１２ａが係止片１ｂを押すから芯上下軸１が回動板１２と一緒に芯下げ方向に駆動して消火する。
【００２１】
また、芯上下軸１は回動板１２とストッパー１４とが係合した状態で係止片１ｂが係止部１２ａから離れて独立して回動可能に設けてあり、手動で芯上下軸１を回動することで、通常の消火操作や燃焼量の調節を行うことができるようになっている。
【００２２】
７は芯上下軸１の内方端に設けた芯上下軸１を中心に回動する駆動板、７ａは駆動板７の可動端から芯６側へ向けて伸ばした駆動ピン、８は芯６の外周に取付けた芯ホルダ、９は芯ホルダ８の側面に取付けた連結部、９ａは連結部９に形成した芯６の円周方向に沿った横長の長孔であり、駆動板７の駆動ピン７ａと連結部９の長孔９ａとが嵌合しており、芯上下軸１を回動すると駆動板７が駆動して駆動ピン７ａが芯上下軸１を中心に回動し、駆動ピン７ａが連結部９に力を加え、芯ホルダ８と一体になった芯６が芯内筒３に沿って上下動する。
【００２３】
上記構成の芯上下装置は、従来の構造に比べて芯上下操作や燃焼量の調節が行いやすい利点はあるが、この芯上下装置は駆動ピン７ａが芯６の片側のみを支える構造となり、駆動ピン７ａと反対側には支えがないため、芯ホルダ８と芯６に傾きが生じやすくなった。そして、芯６が傾くと芯６の上端付近が芯収容筒５の側壁に接触するため、使用経過によってタールが付着して芯６が硬くなったり、芯６の厚みが増した時には、芯６と芯収容筒５との接触抵抗が大きくなって、芯上下操作の妨げとなり、製品を使い始めてから短期間で芯上下操作が行えなくなるという問題が生じた。
【００２４】
また、芯上げ位置にセットした時には駆動ピン７ａ側の芯高さは正常であるが駆動ピン７ａと反対側の芯高さは低くなり、芯高さが低くなった側は芯６の先端の炎が芯収容筒５に近づくため芯収容筒５の温度が高くなることがあり、灯油の気化が促進されて燃焼が不安定になったり、消火時に芯収容筒５が高温になっているため火が消えにくく消火時間が長くなることがある。
【００２５】
この発明は上記の課題を解決するもので、１０は駆動板７と芯ホルダ８の連結部９との
間に位置する駆動板７に取付けた駆動規制部であり、駆動規制部１０は芯ホルダ８の連結部９の側面に当接して芯ホルダ８を芯６側へ押し付けている。
【００２６】
図１に示す実施例では、連結部９と当接する板材と、この板材と駆動板７との間に配置したバネ材とによって駆動規制部１０を構成しており、連結部９と当接する板材がバネ材によって付勢されて芯ホルダ８を芯６側に押し付けている。
【００２７】
この構成であれば、駆動規制部１０が芯６と芯ホルダ８を芯内筒３に押し付ける力によって芯６の傾きを防ぐことができたから、芯６が芯収容筒５の内壁に接触することはなくなり、芯上下操作をスムーズに行うことができ、使用経過によって芯６にタールが付着した場合でも、芯６と芯収容筒５の間隙は維持でき、製品を使い始めてから短期間で芯上下不能となることはない。
【００２８】
また、芯上げ位置にセットした時には芯６の上端の高さが均一になるから、芯６の燃焼ポイントと芯収容筒５とは適正な距離を維持でき、燃焼中に芯収容筒５の温度が高温に
なることはなくなったから、燃焼のバランスを崩すことなく安定した燃焼が実現できると共に、消火時に消火時間が長くなることはなく、安定した消火が実現できた。
【００２９】
また、芯６を駆動する駆動ピン７ａは芯上下軸１から離れた駆動板７の可動端に位置しているから、従来の芯上下軸１で直接芯６を駆動するものに比べて芯上下操作を軽い力で行うことができるようになったが、逆に駆動ピン７ａに力がかかった時には弱い力で芯上下軸１が回動しやすくなり、燃料を吸上げた芯６の重さによって芯上下軸１が芯下げ方向に回動して芯高さが低くなって希望する燃焼量にセットできないことがあったが、この発明では駆動規制部１０が芯ホルダ８を芯６側へ押し付ける力によって降下しようとする芯６の抵抗となって芯６の降下を防ぐから、芯高さが勝手に低くなることはなくなり、希望する燃焼量で燃焼できるものとなった。
【００３０】
ところで、芯上下軸１を芯上げ方向に回動した時は、芯６は連結部９側が先に上昇を始めて芯ホルダ８の下部が手前に傾き、一方、芯上下軸１を芯下げ方向に回動した時は、芯６は連結部９側が先に下降を始めて芯ホルダ８の上部が手前に傾きやすい。図２に示すこの発明の実施例において、駆動規制部１０は芯上下軸１と駆動ピン７ａとの間に配置しており、駆動規制部１０は芯上下軸１の回動時に駆動板７と一緒に移動し、芯下げ位置では連結部９の長孔９ａより上方に位置して連結部９の上部に当接し、芯上げ位置では連結部９の長孔９ａよりも下方に位置して連結部９の下部に当接するものであり、駆動規制部１０は傾きやすい側を押し付けるので、芯上下操作時の芯６の傾きを確実に抑えることができるものとなった。
【００３１】
また、上記構成において、燃焼量の調整を行う時は、機器に表示されている燃焼量の調節範囲と、燃焼部１１の燃焼状態を確認しながら芯上下軸１を回動して行うが、目視によって燃焼量を調節する方法では、燃焼量の調節範囲より芯６を下げすぎてしまい、異常燃焼を起こす恐れがある。
【００３２】
実施例を示す図３において、１０ａは前記駆動規制部１０に形成した突部であり、芯上げ位置において駆動規制部１０は連結部９の長孔９ａより下方に位置しており、この時、突部１０ａは長孔９ａ内の長孔９ａの上部側の内縁より下方もしくは長孔９ａより下方に位置するように設けてある。
【００３３】
燃焼量の調節を行うために芯上下軸１を芯下げ方向に回動すると駆動板７の駆動と共に芯６が下降し、突部１０ａが長孔９ａより下方に位置している時は駆動規制部１０が芯ホルダ８側に広がりながら突部１０ａが長孔９ａ内に移動する。そして、更に芯下げ方向へ回動して最小燃焼位置の芯高さになった時には図４に示すように突部１０ａが長孔９ａの上部側の内縁にあたり、芯上下軸１の回動を一旦止めるものであり、この時の抵抗を使用者に伝える。
【００３４】
このように、駆動規制部１０の突部１０ａが長孔９ａの上部側の内縁にあたった時の抵抗を使用者に与えることで、芯上下軸１の操作つまみ１ａを操作中の使用者は手に伝わる感触によってこの位置が最小燃焼位置であることを知ることができるから、燃焼範囲を外れて芯６を下げすぎることはなくなり、常に正しい燃焼範囲で使用を行わせることができる。
【００３５】
そして、消火時は芯上下軸１の回動が一旦止まった位置から更に芯上下軸１を芯下げ方向に回動すれば、弾性力をもつ駆動規制部１０が駆動板７方向に押し戻されながら突部１０ａが長孔９ａの上方へ外れ、再び芯上下軸１が芯下げ方向に回動して芯６が通常消火位置まで下降して消火できるものであり、この時の駆動規制部１０は図５に示すように連結部９の長孔９ａより上方に位置することができる。
【００３６】
なお、駆動規制部１０は図６に示すように板状のバネ材をＶ字状に折曲げたもので構成してもよく、この場合は芯上下操作時に、駆動規制部１０の端部が長孔９ａの内縁に引っ掛からないようにするため、連結部９と当接する部分を湾曲もしくはく字状に折曲げた形状としており、この湾曲もしくはく字状にした部分が突部１０ａとして機能するように構成してもよい。
【図面の簡単な説明】
【００３７】
【図１】この発明の実施例の芯上下装置を備えた石油燃焼器の断面図である。
【図２】この発明の実施例の芯上下装置の芯下げ時の状態を示す要部断面図である。
【図３】この発明の実施例の芯上下装置の燃焼位置の状態を説明する要部正面図である。
【図４】図３に示す芯上下装置の最小燃焼位置の状態を説明する要部正面図である。
【図５】図３に示す芯上下装置の消火位置の状態を説明する要部正面図である。
【図６】この発明の他の実施例の部品を取付けた状態を示す要部の斜視図である。
【符号の説明】
【００３８】
１    芯上下軸
１ａ  操作つまみ
２    油タンク
３    芯内筒
４    芯外筒
５    芯収容筒
６    芯
７    駆動板
７ａ  駆動ピン
８    芯ホルダ
９    連結部
９ａ  長孔
１０    駆動規制部
１０ａ  突部
【図１】
2006258403.tif 000003
【図２】
2006258403.tif 000004
【図３】
2006258403.tif 000005
【図４】
2006258403.tif 000006
【図５】
2006258403.tif 000007
【図６】
2006258403.tif 000008